(57)【要約】  ユーザにより効率的かつ簡単に条件の設定が変更できる。この条件の下で、自分の位置データが照会者（１１）に通知される（８ｂ）。この設定は、移動無線網の移動無線機器のユーザに、当該ユーザの位置を照会者（１１）に通知することの許諾を問い合わせる方法により可能となる。ここで照会者（１１）が移動無線機器（１３）の位置（１５）について問い合わせる（１）場合には、問い合わせ（１）からの問い合わせデータを移動無線網（１４，１６，１２）の交換局（１４）に転送（２ｃ）する前に、前記問い合わせデータに当該照会者（１１）に対して設定された記述（２０または２１または２２または２３）を補充し、当該記述（２０〜２３）に基づいて、移動無線機器（１３）の側からの許諾が移動無線端末機器位置を照会者（１１）に伝送するために入手（３，４）すべきか否かを少なくとも検出し、前記記述（２０〜２３）が許諾の入手を指示する場合（２２，２３）、許諾を表明することの要請（３）が交換局（１４）から移動無線機器（１３）に送信され（３）、端末機（１３）の位置を照会者（１１）に送信（８ｂ）する前に、前もって記憶された（１６；１８）条件に基づいて、当該位置を照会者（１１）に送信（８ｂ）すべきか否かを検査する。
2005512428.tif 000002
【特許請求の範囲】
【請求項１】
移動無線網の移動無線機器（１３）のユーザに、照会者（１１）に当該ユーザの位置データを通知することの許諾を問い合わせる方法であって、
照会者（１１）が移動無線機器（１３）の位置（１５）を問い合わせる場合、問い合わせデータを照会者（１１）から移動無線網（１４，１６，１２）の交換局（１４）に転送する（２ｃ）前に、前記問い合わせデータに当該照会者（１１）に対して設定された記述（２０または２１または２２または２３）を補充し、
当該記述（２０〜２３）に基づいて、移動無線機器（１３）の側からの許諾が移動無線端末機器位置を照会者（１１）に伝送するために入手（３，４）すべきか否かを少なくとも検出し、
前記記述（２０〜２３）が許諾の入手を指示する場合（２２，２３）、許諾を表明することの要請（３）が交換局（１４）から移動無線機器（１３）に送信され（３）、
端末機（１３）の位置を照会者（１１）に送信（８ｂ）する前に、前もって記憶された（１６；１８）条件に基づいて、当該位置を照会者（１１）に送信（８ｂ）すべきか否かを検査する、
ことを特徴とする方法。
【請求項２】
問い合わせ（１）により通知された問い合わせデータ中で、当該問い合わせデータを交換局に転送する前に、識別データに該当する照会者のＩＤ（クライアントＩＤ１）を前記記述（２０／２１／２２／２３）により置換し、
前記記述（２０／２１／２２／２３）を識別データの代わりに交換局（１４）に送信する（２ｃ）、請求項１記載の方法。
【請求項３】
交換局（１４）に、識別データに該当する照会者（１１）のＩＤも付加的に共に送信する、請求項１または２記載の方法。
【請求項４】
識別データを、許諾表明の要請（３）で移動端末機（１３）に共に送信する、請求項３記載の方法。
【請求項５】
交換局（１４）には、照会者（１１）に関する名前データ（クライアント番号）も送信する、請求項１から４までのいずれか１項記載の方法。
【請求項６】
名前データを交換局（１４）から移動無線機器（１３）に要請（３）で送信する、請求項５記載の方法。
【請求項７】
交換局（１４）には、問い合わせ（１）に含まれる移動無線加入者識別データに該当する移動無線加入者識別モジュールのＩＤ（ＩＭＳＩ、ＭＳＩＳＤＮ）が送信される、請求項１から６までのいずれか１項記載の方法。
【請求項８】
問い合わせ（１）は、移動無線網の位置データ問い合わせ受領個所（ＧＭＬＣ１２）に到着する、請求項１から７までのいずれか１項記載の方法。
【請求項９】
交換局（１４）はＭＳＣまたはＳＧＳＮである、請求項１から８までのいずれか１項記載の方法。
【請求項１０】
交換局（１４）は、移動無線機器（１３）の位置を移動無線網のＢＳＳまたはＲＡＮに照会する、請求項１から９までのいずれか１項記載の方法。
【請求項１１】
記述（２０〜２３）は所定数の異なる指示だけを含むことができ、これらは指示はとりわけ、通知なしでの位置データの伝送、通知ありでの位置データの伝送、移動局の許諾後だけ、または移動局の応答がない場合の位置データの伝送、移動局が許諾した場合だけの位置データの伝送である、請求項１から１０までのいずれか１項記載の方法。
【請求項１２】
複数の移動無線加入者識別モジュール（１３）に対して、および／または複数の移動局（１３）に対して同じ記述を記憶するか（１６，１８）、および／または同じ制限された数の異なる記述（２０〜２３）だけを記憶する、請求項１から１１までのいずれか１項記載の方法。
【請求項１３】
交換局（１４）によりホームレジスタ（１６）において、交換局（１４）に問い合わせ（２ｃ）が到達する際、当該移動局に対する記述（２０〜２３）を問い合わせる、請求項１から１２までのいずれか１項記載の方法。
【請求項１４】
問い合わせ（１）を照会者（１１）から入手する位置データ問い合わせ受領個所（ＧＭＬＣ１２）は、問い合わせデータを交換局（１４）に転送する前に、照会者に関する識別データを、照会者（１１）を考慮して移動局（１３）により選択された記述（２０〜２３）と共に記憶し、位置データの到着（７）後に当該位置データを、記述のために記憶された識別データ（１７）が該当する照会者（１１）での条件を記憶し（１８）、転送する（８ｂ）、請求項１から１３までのいずれか１項記載の方法。
【請求項１５】
位置データ問い合わせ受領個所（ＧＭＬＣ１２）では複数の移動無線加入者識別に対してそれぞれ、どの潜在的照会者（１１）に対して問い合わせ（１）の問い合わせデータを、交換局（１４）への転送（２ｃ）前に、メモリ（１８）からのどの記述（２０〜２３）によって補充すべきかを記憶する、請求項１から１４までのいずれか１項記載の方法。
【請求項１６】
位置データ問い合わせ受領個所（ＧＭＬＣ１２）では複数の移動無線加入者識別（１３）に対して位置データの照会者（１１）への転送（７）を次の場合だけ行う、すなわち、当該位置に対する転送が、位置データ問い合わせ受領個所（１２）により記憶され、メモリ（１８）から照会された条件に従い、該移動無線加入者識別モジュールまたは移動無線機器により許容されている場合だけ行う、請求項１から１５までのいずれか１項記載の方法。
【請求項１７】
照会者（１１）への位置データ伝送（８ｂ）を次の場合だけ行う、すなわち位置検出の時間に対する当該伝送が記憶された（１８）に条件に従い、移動局（１３）のユーザに対して、ないしは移動無線加入者識別カードに対して許容されているばあいだけ行う、請求項１から１６までのいずれか１項記載の方法。
【請求項１８】
条件はユーザにより、自分の移動無線機器を介してまたは他の端末機器を介して移動無線、ＷＡＰ、インターネット、固定網等経由で変更可能である、請求項１から１７までのいずれか１項記載の方法。
【請求項１９】
交換局（１４）は、移動無線機器（１３）によりちょうど使用される移動無線交換局である、請求項１から１８までのいずれか１項記載の方法。
【請求項２０】
請求項１から１９までのいずれか１項記載の方法を実施するための移動無線網であって、
位置データ問い合わせ受領個所（ＧＭＬＣ１２）を有し、該位置データ問い合わせ受領個所は照会者（１１）の移動局（１３）の位置についての問い合わせ（１）に応答して位置データを、当該移動局（１３）に対して設定されており、メモリ（１８）に記憶された条件に該当する場合だけ伝送（８ｂ）するように構成されており、
該位置データ問い合わせ受領個所はメモリ（１８）にアクセスし、該メモリには所定の移動局（１３）に対するどの照会者（１１）に対して、照会者（１１）の問い合わせ（１）を交換局（１４）に転送する前に、照会者（１１）のＩＤをどの記述（２０〜２３）により置換すべきかが記憶されており、
交換局を有し、該交換局は移動無線機器（１３）の位置についての問い合わせ（２ｃ）の際に、該交換局に通知された（２ｃ）、移動局（１３）に対する照会者（１１）のＩＤ（２０〜２３）に従い当該移動局（１３）に位置データ伝送（７）の前に許諾を要請（３）するように構成されており、
メモリを備えるホームレジスタ（１６）を有し、該ホームレジスタには照会者（１１）の複数のＩＤ（２０〜２３）について交換局（１４）に対する次の指示が記憶されており、すなわち位置データを照会者（１１）に伝送する前に、移動局（１３）の許諾を照会（３）すべきか否かという指示が記憶されており、
ここで１つまたは複数のホームレジスタ（１６）に記憶された、照会者（１１）のＩＤ（２０〜２３）に対する指示（２０〜２３）は複数の移動無線加入者識別モジュールに対してまたは移動無線機器（１３）に対して同じとすることができる、
ことを特徴とする移動無線網。
【発明の詳細な説明】
【技術分野】
【０００１】
本発明は、移動無線機器のユーザに、当該ユーザの位置を照会者に通知することの許諾を問い合わせる方法および装置に関する（ＧＭＬＣコントロールド・プライバシー）。
【０００２】
３ＧＰＰ−ＴＳ ２３．２７１から、セルラー方式移動無線網の移動無線機器ユーザの位置データを位置依存サービスのために、例えば次のガソリンスタンドについての情報等のために使用することが公知である（＝Location Services＝ＬＣＳ）。しかし場合によっては移動無線機器ユーザが、第３者に自分の瞬時位置を移動無線網から照会できることを回避したいこともある。従って移動無線機器ユーザは、自分の位置を移動無線網から潜在的に問い合わされることに対して、移動無線ユーザの位置データをこの照会者に通知することを一般的に許可するのか、基本的に禁止するのか、または移動無線機器ユーザに確認した後に許可するのかを設定する機能を必要とする。この機能はＬＣＳ−ユーザプライバシーと称される。
【０００３】
３ＧＰＰにより定義されたＬＣＳ−ユーザプライバシー（３ＧＰＰ Ｓｔａｎｄａｒｄ ＴＳ ２３．７３１および２９．００２）は、比較的多くのメモリを移動無線網のホームロケーションレジスタ（ＨＬＲ）と交換局（ＭＳＣ−ＳＧＳＮ）に必要とし、またユーザの位置データを照会者に通知することに関する条件をＨＬＲからユーザが瞬時に使用する交換局（訪問されたＭＳＣ−ＳＧＳＮ）にコピーする際に大きな負荷の原因となる。
【０００４】
３ＧＰＰ Ｓｔａｎｄａｒｄ ＴＳ ２３．７３１および２９．００２によれば、各加入者に対するＬＣＳ−ユーザプライバシーはホームロケーションレジスタ（ＨＬＲ）に複数のプライバシー等級で記憶されており、ＨＬＲからユーザの訪問するＭＳＣまたはＳＧＳＮにダウンロードされ、これに基づいてＬＣＳ−ユーザプライバシー機能が、移動無線機器の位置についての問い合わせ（Mobile Terminating Location Request ＭＴ−ＬＲ）の場合に、ＧＭＬＣから位置データを照会者に伝送すべきか否かを検査する。付加価値サービスに対してはＬＣＳプライバシー等級が設けられている。すなわちコールセッション関連クラスとコールセッション非関連クラスである。３ＧＰＰではユーザはこの２つのクラスの各々に対して４０までのＬＣＳクライアントＩＤを特定することができ、各クライアントＩＤ（ユーザの位置への潜在的照会者のＩＤ）に対して、ユーザの訪問したＭＳＣ／ＳＧＳＮがどのようにＬＣＳユーザプライバシーチェックを実行すべきかを設定することができる。例えば、ユーザがただ１つの通知を受け取る（すなわち誰かが自分の位置を照会したという通知）か、またはユーザがＬＣＳ検証を受け取る（すなわち自分の位置を照会者に通知する前の確認）か、または他の手段を設定することができる。ＬＣＳクライアントＩＤがユーザにより設定されたリストに記憶されていなければ、ユーザの設定に従いデフォルト方法を実行される。
【０００５】
本発明の課題は、移動無線機器のユーザができるだけ簡単かつ効率的に、自分の位置の問い合わせに関する設定をすることができるようにすることである。この課題はそれぞれ独立請求項の対称によって解決される。
【０００６】
本発明により、位置データ問い合わせ受領個所（ＧＭＬＣ）に照会者の問い合わせが到来した際に、問い合わせを移動無線機器が瞬時に訪問する移動無線網の交換局（ＭＳＣ，ＳＧＳＮ）へ転送する前に、問い合わせデータを次の記述だけ拡張する。すなわち、移動無線機器ユーザの許諾を、移動無線機器位置を照会者にさらに転送するために入手しなければならないか否かを少なくとも指示する記述だけ拡張するのである。これにより、移動無線網のこの位置データ問い合わせ受領個所ＧＭＬＣにユーザにより変更可能なデータが装備されている。このデータは任意の問い合わせに対して、位置データの通知前に許諾を入手すべきか否か、また選択的にどの時点でおよび／またはどの位置に対して照会者に位置データ伝送をユーザにより許可されているかを指示する。これによって、この種の記述をホームロケーションレジスタから交換局ＭＳＣ／ＳＧＳＮにダウンロードすることにより高められた負荷を格段に低減することができる。なぜなら単に仮想的な識別のために、制限された数の記述をＨＬＲからＭＳＣに通知すればよいだけであり、この記述はユーザの位置データの伝送前にユーザに問い合わせなければならないか否か、およびユーザはこれに対して応答シニア場合には何をすべきかを指示する。位置データ問い合わせ受領個所（ＧＭＬＣ）での記述は、ユーザの位置データの伝送前にユーザに問い合わせる必要があるか否か、およびユーザが応答しない場合には何をすべきか、ユーザに情報を与えるべきか否か、または情報と確認なしで照会者への位置データ伝送が可能か否かに付いてである。これらの記述はユーザにより本発明の構成では簡単に移動無線を介して（音声またはＳＭＳ等）またはＷＡＰまたはインターネット等を介して変更することができ、付加的条件（どのように時間依存するか、または位置依存するかという属性）と結合することができ、このことはこれまで通常のＨＬＲでの記憶では不可能であった。
【０００７】
本発明のさらなる特徴および利点は図面に基づく以下の実施例の説明から明かとなる。
図１は、３ＧＰＰ Ｒ４による位置データ問い合わせを示す。
図２は、この位置データ問い合わせの本発明による変更を概略的に示す。
【０００８】
図１では、位置データアプリケーション（ＬＣＳアプリケーション）１１により問い合わせ１が位置データ問い合わせ受領個所（ＧＭＬＣ）１２に送信される。この位置データ問い合わせ受領個所はこの位置データ問い合わせをステップ２で、移動無線機器（ＭＳ）１３のユーザにより瞬時に訪問されている交換局（ＳＧＳＮ／ＭＳＣ等）１４に転送する。交換局ＳＧＳＮ／ＭＳＣ１４は（例えば規則的に）ステップ０でＨＬＲからダウンロードされた移動無線機器ユーザについての記述を記憶する。この記述は、移動無線機器の位置を照会者１１に伝送する前に移動無線機器１３で確認すべきか否かを指示する。この種の確認が規定されている場合には、ステップ３で交換局１４は移動無線機器１３において、移動無線機器１３のユーザが照会者１１の瞬時の問い合わせに対してこの照会者に瞬時の移動無線機器位置を通知したいか否かを問い合わせる。これに基づいて、応答４が移動無線機器から交換局１４になされる。または場合により、移動無線機器が使用されておらず、遮断されている場合、または無線ホールに存在する場合には応答が行われない。照会者１１への移動無線機器の位置の通知が基本的に許容されている場合、またはこれに対して択一的に通知が許諾４の入手後に許容されている場合、および許諾が存在する場合、またはこれとは択一的に拒否されない場合には、位置の通知が行われるように設定され低場合には。位置を交換局１４から照会者１１に通知することができる。交換局１４はステップ５で３ＧネットワークのＲＡＮの場合、または２ＧネットワークのＢＳＳ等の場合、移動無線機器１３の位置を問い合わせ（例えば移動無線機器１３により瞬時に使用されている移動無線セルのセルＩＤに基づいて）、ステップ６で瞬時の移動無線機器位置を受け取る。照会者１１への位置の通知を行うべき場合には、交換局１４は位置を表わすデータを位置データ問い合わせ受領個所ＧＭＬＣ１２にステップ７で伝送する。位置データ問い合わせ受領個所１２はこのデータをさらなる条件なしにステップ８で照会者１１（場合により位置データの齢が位置データ検出個所ＲＡＮ／ＢＳＳ１５により検出されていれば、この位置データの齢の記述の下で）にさらに伝送する。
【０００９】
図２は、本発明による位置の検出、および移動無線機器ユーザにより設定された条件下で照会者に伝送する様子を示す。
【００１０】
ここでは３ＧＰＰ Ｒ４規格による移動無線網を、規格に違反することなしに使用することができ、従って上位互換性が十分に可能である。
【００１１】
図１に示された解決手段の場合と同じように、移動無線網のホームレジスタＨＬＲ１６から照会に応答してまたは規則的にステップ０で、複数の移動無線機器ユーザに対し（照会の場合）、移動無線機器ユーザにより瞬時に使用された交換局ＳＧＳＮ／ＭＳＣ１４または（規則的な伝送の場合）すべての交換局へ記述セットが伝送される。この記述セットはここでは、どの交換局１４に対して位置に関する照会が通知される（ここでは仮想の）照会者の照会の際に、移動局１３での許諾の確認を交換局１４により実行すべきかを指示する。本発明によれば、これは制限された数の記述（制限された数の仮想ＩＤ）であり、図示の例では４つの（仮想）ＩＤに対する４つの記述である。この記述２０，２１，２２，２３が移動無線機器のユーザの数に対して同じであることによって、この記述は所定の照会者についてのユーザの決定を含んでおらず、４つの異なる場合に対する一般的に指示を含むから、ＨＬＲ１６と交換局ＭＳＣ／ＳＧＳＮ１４との間のネットワーク負荷は格段に低減される。さらに記述の数はここでは、３ＧＰＰ規格による移動局当たりの８０（８０までの異なる問い合わせ端末に対して）までの可能な数と比較して非常に小さい。このことはＨＬＲと交換局１４との間のネットワークトラフィックをさらに格段に低減する。
【００１２】
本実施例では５つの異なる場合が設けられており、４つの異なる場合に対してだけ交換局１４での記憶を行わなければならない。このことは次のようにして可能になる。すなわち位置データ問い合わせ受領個所ＧＭＬＣ１２が、照会者１１の問い合わせを交換局１４にさらに伝送する前に、位置（この位置には照会者１１のＩＤがある）についての問い合わせの問い合わせデータ中に、仮想ＩＤ２０，２１，２２または２３を位置データ問い合わせ受領個所ＧＭＬＣ１２に記憶するか、または使用可能なテーブル１８に対してセットするのである。このテーブルには、移動局１３の各ユーザに対して（ないしはそのＭＳＩＳＤＮ、ＩＭＳＩ等に対して）、この問い合わせ端末に対してどのように振る舞うべきかが記述されている。照会者１１のＩＤの代わりに、交換局１４には仮想ＩＤ２０〜２３だけが到来する。この仮想ＩＤに対して処理指示がホームレジスタＨＬＲ１６から交換局１４にロードされ、この処理指示に従い移動局１３の場合は照会者１１への位置の伝送を許諾するかが問い合わされ、または問い合わされず、非応答の場合にはデフォルト指示が行われる。
【００１３】
照会者のＩＤは位置問い合わせ受領個所ＧＭＬＣ１２に、次の５つの（仮想）ＩＤの１つによって交換局１４に送信される。この仮想ＩＤは処理指示を表わすだけで、照会者１１のＩＤは表わさない。
【００１４】
クライアントＩＤ１（仮想ＩＤ１）：位置データを、移動局１３の報告なしで通知（これは照会の際に照会者１１には、移動局１３の位置が移動局１３の報告なしで通知されることを意味する）、
クライアントＩＤ２（仮想ＩＤ２）：報告（これは照会者１１の照会の場合、照会者に移動局１３の位置が通知されるが、移動局１３はこれについて情報が与えられないことを意味する）、
クライアントＩＤ３（仮想ＩＤ３）：移動局１３に、照会者１１に移動局１３の位置を通知すべきか否か問い合わせるという処理指示に従う。ここで位置の照会者１１への通知は、移動局が肯定により応答した場合、またはまったく応答しない場合（移動局が遮断されている等）に行われる。
【００１５】
クライアントＩＤ４（仮想ＩＤ４）：移動局１３の位置を照会者１１に通知する前に、移動局に許諾を請うという交換局への処理指示。ここで移動局１３の位置の通知は、移動局が肯定的応答をした場合だけ行われる。
【００１６】
第５の可能性は、移動局１３に対する位置データ検出を基本的に照会者１１に対して許容しないことである。この場合に対しては、ホームレジスタ１６と交換局１４に何も記憶してはならない。なぜならこの場合、位置データ問い合わせ受領個所ＧＭＬＣ１２は交換局１４での確認なしで照会者１１に対して位置データ検出の拒絶を通知することができるからである。
【００１７】
ステップ３での移動局１３の報告と移動局１３での位置データ通知についての許諾の要請の場合、この移動局には照会者１１の名前が通知され、これにより移動局１３のユーザは誰が問い合わせしているかを知ることができる。
【００１８】
記述２０〜２３（＝処理指示だけを参照する仮想ＩＤ）の割り当てはＨＬＲ１６（これは移動局１３により訪問される交換局１４に通知する）と位置データ問い合わせ受領個所ＧＭＬＣ１２には既知である。位置データ問い合わせ受領個所ＧＭＬＣ１２が照会者１１の問い合わせ１を受信すると、照会者１１の受信された識別データ（クライアントＩＤ）はさらなる送信２ｃの前に仮想ＩＤデータ２０または２１または２２または２３により割当てテーブル（マッピングテーブル）１７に基づいて置換される。このマッピングテーブルは、移動局１３のユーザにより調整された、識別データと仮想ＩＤ２０〜２３との割り当てを含んでいる。テーブルには場合により、拡張属性を補充することができる。この拡張属性は、時間的制限または位置的制限、または照会者１１についての拡張された記述に依存するものである。
【００１９】
上記本発明の方法は、３ＧＰＰ規格に違反することなく簡単かつ効率的に実現できる。
【００２０】
択一的に以下の方法を適用できる：
記述２０〜２３（仮想ＩＤ、クライアントＩＤ１〜４）は上記と同じようにＨＬＲ１６と位置データ問い合わせ受領個所ＧＭＬＣ１２に記憶される。この択一的方法が適用される前に、位置データ問い合わせ受領個所ＧＭＬＣ１２により交換局ＭＳＣ／ＳＧＳＮ１４が方法ＩＩを適用できるか否かが検査される。これはとりわけ、交換局ＭＳＣ／ＳＧＳＮ１４が位置データ問い合わせ受領個所ＧＭＬＣ１２と同じネットワークに配置されているか、または位置データ問い合わせ受領個所ＧＭＬＣ１２と同様のネットワークに配置されているか、または特別のリストに記憶されている場合である。このような場合には、位置データ問い合わせ受領個所ＧＭＬＣ１２から、ステップ１での照会者１１からの問い合わせで共に通知された照会者１１のＩＤ（ＬＣＳ  クライアントＩＤ）がステップ２ｃで、位置問い合わせと共に交換局ＳＧＳＮ／ＭＳＣ１４へ送信される。この送信は、「Extension Container」（３ＧＰＰ規格ＴＳ２９．００２による拡張コンテナー）、または「ＬＣＳ Client external ID」の拡張コンテナー、または「ＬＳＣ Client dialed by MS」などで行われる。交換局ＳＧＳＮ／ＭＳＣ１４は検査を上記のように実行する。しかし報告または許諾問い合わせを移動局に送信する前に、位置データ問い合わせ受領個所ＧＭＬＣ１２が方法ＩＩをサポートしているか否かを検査する。方法ＩＩが位置データ問い合わせ受領個所ＧＭＬＣ１２によりサポートされていれば、交換局ＳＧＳＮ／ＭＳＣ１４は移動局１３での許諾または通知に関する問い合わせ３の前に、問い合わせデータ中の記述２０／２１／２２／２３（仮想ＩＤ）を拡張コンテナーで通知された照会者１１の実際のＬＣＳクライアントＩＤと置き換える。照会者１１の実際のＬＣＳクライアントＩＤを見出すべき場所は設定するか、または個々の事例で通知することができる。
【００２１】
上記第１の方法の本発明による経過は次のようにすることができる：
ステップ０：問い合わせによりまたは規則的にホームレジスタＨＬＲ１６から交換局ＳＧＳＮ／ＭＳＣ１４へ各移動局１３に対して所定の問い合わせに対する処理指示２０〜２３のリストが伝送される。このとき指示２０〜２３において照会者ＩＤ、クライアントＩＤ１〜クライアントＩＤ４はこれに所属の処理指示を参照するための仮想的ＩＤである。
【００２２】
ステップ１：ＬＣＳサービスリクエストをＬＣＳ顧客（１１の照会者）から位置データ問い合わせ受領個所ＧＭＬＣ１２に通知し、これに所属の必要なオプションデータ（クライアントＩＤ、ＩＭＳＩ／ＭＳＩＳＤＮ、ＱｏＳ）を通知する。
【００２３】
ステップ２ａ：位置データ問い合わせ受領個所ＧＭＬＣ１２により、どの指示２０〜２３をステップ２ｃで、照会者１１のＩＤ（クライアントＩＤ）の代わりに問い合わせ１で。問い合わせ１に指示された照会者（クライアントＩＤ）に対して、および問い合わせ１で定義された移動局１３の移動無線加入者識別モジュールに対して、交換局ＭＳＣ／ＳＧＳＮ１４に通知すべきかを問い合わせる。このとき問い合わせ２ｃの前にどの時間、または応答７の後にどの地域で、所定のユーザ（問い合わせ１によるＩＭＳＩ／ＭＳＩＳＤＮを有する）に対し、および特別の照会者１１（問い合わせ１でのクライアントＩＤによる）に対し、移動局１３のユーザが位置データの問い合わせを確認３ありで、または確認なしで許容したかを検査することができ、ステップ２ｃから７による方法が肯定の場合だけ実行され、それ以外の場合はステップ８で位置問い合わせの拒絶が伝送される。
【００２４】
ステップ２ｂ：問い合わせ１ｂで通知された照会者１１のＩＤ（クライアントＩＤ）が、問い合わせ２ｃに配属されたトランザクションＩＤ（ＭＡＰ基準）と共に割当てテーブル（マッピングテーブル１７）に記憶される。これにより、転送２ｃと同じトランザクションＩＤを含む応答７を照会者１１に再び割当てることができる。
【００２５】
ステップ２ｃ：位置データ問い合わせ受領個所ＧＭＬＣ１２から、記述２０または２１または２２または２３を有する問い合わせが、移動局３（ＨＬＲ記述等による）によりちょうど訪問されている交換局１４に通知される。ステップ３から７は図１に示されているように実行される。しかしここで交換局ＳＧＳＮ／ＭＳＣ１４はＨＬＲ１６から、問い合わせ１で特定された（ＩＭＳＩ／ＭＳＩＳＤＮ等）移動局に対して、複数の移動局に対して同じ記述２０〜２３だけを所属の指示（位置データを通知なしで伝送する、位置データを通知の下で移動局に伝送する）と共に移動局に伝送する。このことは、位置データ伝送の前に移動局において許可を要請し、肯定の場合または応答がない場合だけ行われる。
【００２６】
ステップ８ａ：上記の方法とは異なり、位置データ問い合わせ受領個所ＧＭＬＣ１２は応答７（位置データと場合により検出の齢およびトランザクションＩＤを含む）の受領後に、得られたトランザクションＩＤを割当てテーブル１７に基づいて照会者１１のＩＤと置換し、さらに記述リスト１８においてユーザ１３の位置記述について質問し、ステップ８ｂで位置データ（これが許容されていれば）または位置データ検出の拒絶が照会者１１に伝送される。
【００２７】
位置データを照会者１１に伝送する前に、位置データ問い合わせ受領個所ＧＭＬＣ１２からＬＣＳプライバシーデータバンク１８において問い合わされた、（ＲＡＮ／ＢＢＳ１５により）検出された位置に対する位置記述は以下のことを含む。すなわち移動局１３のユーザがセルＩＤ等の所定のグループ（これはいずれかの形態で前もって設定されている）を訪問した場合には何もしないままにしなければならないことを含む。さらにここでは、瞬時の時刻で照会者１１に位置を通知すべきか否かを検査することもできる。ここでは照会者への位置の通知は、所定の時間内に検出された位置データに対してだけ行われる。
【図面の簡単な説明】
【００２８】
【図１】図１は、３ＧＰＰ Ｒ４による位置データ問い合わせを示す。
【００２９】
【図２】図２は、この位置データ問い合わせの本発明による変更を概略的に示す。
【図１】
2005512428.tif 000003
【図２】
2005512428.tif 000004
【国際調査報告】
2005512428.tif 000005
2005512428.tif 000006
2005512428.tif 000007
2005512428.tif 000008
2005512428.tif 000009
2005512428.tif 000010